【手続補正書】
【提出日】平成31年1月28日(2019.1.28)
【手続補正１】
【補正対象書類名】明細書
【補正対象項目名】００１４
【補正方法】変更
【補正の内容】
【００１４】
メインコントローラ２５０は、メインＣＰＵ２５１、ＲＯＭ２５２、ＲＡＭ２５３を備えている。ＲＯＭ２５２はメインＣＰＵ２５１によって実行される制御プログラムを記憶している。ＲＡＭ２５３は入力データや作業用データを記憶する。メインコントローラ２５０は、リーダＣＰＵ２０１との通信ライン２７４を介して、画像読取制御に関する制御コマンドや制御データを送信および受信する。たとえば、メインコントローラ２５０は、リーダＣＰＵ２０１から原稿センサ１４の出力を受信する。この出力は原稿トレイ３０に原稿が存在するか、存在しないかを示している。メインＣＰＵ２５１は、受信した原稿センサ１４の出力に基づき、原稿トレイ３０上に原稿束Ｓが積載されているか否かを判定する。メインコントローラ２５０は、画像処理部２２４と画像処理部２５５とを接続する画像ライン２７３を通じて、画像メモリ２２３に格納されている画像データをリーダコントローラ２００から受信する。画像処理部２５５は受信した画像データに各種のフィルタ処理を施して画像メモリ２５６に格納する。メインＣＰＵ２５１は電力供給ライン２７５を通じてリーダコントローラ２００へ電力を供給する。たとえば、画像読取装置１０００へ電源が投入されると、メインＣＰＵ２５１がリーダＣＰＵ２０１よりも先に起動し、メインＣＰＵ２５１がリーダコントローラ２００への電力の供給を制御する。画像読取装置１０００は、画像読取を実行可能な動作モードと、画像読取を実行不可能な非動作モードとを有している。非動作モードは消費電力を節約するためのモードである。非動作モードの一つであるスリープモードでは、メインＣＰＵ２５１は起動しているが、リーダコントローラ２００には電力が供給されていない。操作部２５４を通じてスリープモードからの復帰が指示されると、メインＣＰＵ２５１はリーダコントローラ２００への電力の供給を再開する。操作部２５４はユーザから入力される情報を受け付けるための入力部と、ユーザに対して情報を出力する表示部とを有している。メインＣＰＵ２５１は操作部２５４を通じて電源ＯＦＦを指示されたり、スリープモードへの移行を指示されたり、画像読取を指示されたりする。スリープモードへの移行はユーザによって指示される必要はない。一定時間が経過する間に何も操作部２５４から指示されないときに、メインＣＰＵ２５１はスリープモードへ移行してもよい。
【手続補正２】
【補正対象書類名】明細書
【補正対象項目名】００１９
【補正方法】変更
【補正の内容】
【００１９】
一方、フラグ左端Ｅが検知位置Ｂより右に位置している場合、リーダＣＰＵ２０１は、モータ２２２を駆動させてスキャナユニット２０を左向きに移動させて行き、フラグ左端Ｅに検知位置Ｂを通過させる。フラグ左端Ｅが検知位置Ｂよりも左に到達した時点から、ポジションセンサ２２１の出力がＯＮとなる。リーダＣＰＵ２０１は、ポジションセンサ２２１の出力が切り替わる点（以下、ポジションセンサ２２１のエッジと呼ぶ）からのモータ２２２の駆動パルス数をカウントする。そして、カウント値が所定値になったことに応じてモータ２２２を停止させる。これにより、スキャナユニット２０を所定領域内の所望位置に停止させることができる。
【手続補正３】
【補正対象書類名】明細書
【補正対象項目名】００５２
【補正方法】変更
【補正の内容】
【００５２】
一方で、Ｓ１２０１でポジションセンサ２２１の出力がＯＮであった場合、スキャナユニット２０のフラグ左端Ｅは検知位置Ｂよりも左に位置している。このまま、スキャナユニット２０を左に位置させると、スキャナユニット２０を正確にスリープポジションＰに停止させることができないだろう。そこで、一旦、ポジションセンサ２２１の出力がＯＦＦとなる位置までスキャナユニット２０を右に移動させる必要がある。Ｓ１２０１でポジションセンサ２２１の出力がＯＮであった場合、リーダＣＰＵ２０１はＳ１２０７に進む。Ｓ１２０７でリーダＣＰＵ２０１はスキャナユニット２０が右に移動するようにモータ２２２の駆動を開始する。Ｓ１２０８でリーダＣＰＵ２０１は、スキャナユニット２０が十分右に移動したかどうかを判定すべく、ポジションセンサ２２１の出力がＯＦＦかどうかを判定する。ポジションセンサ２２１の出力がＯＦＦになると、リーダＣＰＵ２０１は、Ｓ１２０９に進む。Ｓ１２０９でリーダＣＰＵ２０１はモータ２２２を停止させ、Ｓ１２０２に進む。以上の処理により、画像読取装置１０００が動作を停止するときには、スキャナユニット２０をスリープポジションＰに停止させることが可能となる。
【手続補正４】
【補正対象書類名】明細書
【補正対象項目名】００５５
【補正方法】変更
【補正の内容】
【００５５】
Ｓ１３２１でリーダＣＰＵ２０１はスキャナユニット２０が左に移動するようモータ２２２を駆動する。Ｓ１３２２でリーダＣＰＵ２０１はカウンタ２０４のカウント開始位置を探索すべく、ポジションセンサ２２１の出力がＯＮに変化したかどうかを判定する。ポジションセンサ２２１の出力がＯＮに変化すると、リーダＣＰＵ２０１はＳ１３２３に進む。Ｓ１３２３でリーダＣＰＵ２０１はスキャナユニット２０をスリープポジションＰに向かわせるべく、カウンタ２０４に駆動パルス数のカウントを開始する。なお所定値Ａ１に関するカウンタと所定値Ａに関するカウンタはそれぞれ別個に設けられていてもよい。Ｓ１３２４でリーダＣＰＵ２０１はスキャナユニット２０がスリープポジションＰに到達したかどうかを判定すべく、カウント値が所定値Ａ１になったかどうかを判定する。カウント値が所定値Ａ１になると、スキャナユニット２０がスリープポジションＰに到達しているため、リーダＣＰＵ２０１は、Ｓ１３２５に進む。Ｓ１３２５でリーダＣＰＵ２０１はモータ２２２を停止し、Ｓ１３０２に進む。これにより、スキャナユニット２０がスリープポジションＰに停止し、モータ２２２の加速準備が整う。つまり、所定速度αまで加速可能な位置からモータ２２２の加速が開始される。
【手続補正５】
【補正対象書類名】明細書
【補正対象項目名】００６０
【補正方法】変更
【補正の内容】
【００６０】
リーダＣＰＵ２０１はスキャナユニット２０を固定ポジションＦまで移動させ、電源ＯＦＦ（シャットダウン）を実行する。操作者はリーダ１５０の筐体２５に対してビスＶを用いてスキャナユニット２０を固定する。スキャナユニット２０を固定ポジションＦまで移動させるための専用の指示が操作部２５４から入力されてもよい。しかし、実施例３では操作部２５４から電源ＯＦＦが指示されると、リーダＣＰＵ２０１は専用の指示を待つことなく、スキャナユニット２０を固定ポジションＦまで移動させる。つまり、操作者の手間が削減される。なお、スリープモードにおいては画像読取装置１０００が移動される可能性は低い。画像読取装置１０００を移動するには、電源ＯＦＦが指示され、かつ、電源ケーブルが商用電源のコンセントから抜かれることが一般的だからである。そのため、リーダＣＰＵ２０１は、スリープモードへ遷移するためのイベントを検知すると、スキャナユニット２０をスリープポジションＰへ移動させる。なお、スリープモードに関しても、スキャナユニット２０が固定ポジションＦまで移動されてもよい。なお、スキャナユニット２０の筐体であるボックス３００にはビスＶと螺合する穴またはナットが設けられている。リーダ１５０の筐体２５にはビスＶが挿通される穴が設けられている。